(57)【要約】【課題】本発明は、再生信号の品質を向上させることができる。【解決手段】本発明は、待機状態において対物レンズ３１を光ディスク１００から大きく離れた待機位置ＷＰに位置させ、動作状態において当該対物レンズ３１を光ディスク１００に近接した合焦点位置ＦＰに移動させると共に、対物レンズ３１を保持するレンズ保持部３２を固定部３３に対して弾性支持する各サスペンションワイヤ３４が、当該固定部３３からレンズ保持部３２に向かって光ディスク１００から離隔するように斜めに取付けられるようにする。【選択図】        図３
2007179712.tif 000002
【特許請求の範囲】
【請求項１】
レーザ光を集光して光ディスクに照射する対物レンズと、
上記対物レンズを保持するレンズ保持部と、
駆動力が加わらない自然状態において上記光ディスクに対する合焦点位置よりも離隔させた待機位置に上記対物レンズを位置させると共に、上記合焦点位置を中心とする所定の変位範囲内を変位可能な状態になるように上記レンズ保持部を固定部に対して弾性支持する弾性支持部と
を具え、
上記弾性支持部は、
上記固定部から上記レンズ保持部に向かって上記光ディスクから離隔するように斜めに取付けられている
ことを特徴とする光ピックアップ。
【請求項２】
上記弾性支持部は、
上記対物レンズを上記合焦点位置に位置させたとき、上記光ディスクに対して略平行な状態で上記レンズ保持部を支持する
ことを特徴とする請求項１に記載の光ピックアップ。
【請求項３】
上記弾性支持部は、
上記対物レンズの上記変位範囲における上記光ディスクに対するタンジェンシャル方向の最大変位量が最小になるように取付角度が選定された
ことを特徴とする請求項１に記載の光ピックアップ。
【請求項４】
上記弾性支持部は、
上記レンズ保持部を２側面から弾性保持する２組のサスペンションワイヤでなり、
上記サスペンションワイヤは、
その一端を上記レンズ保持部に固定され、他端を上記固定部に固定され、各組の上記一端と上記他端とを結んだ形状が平行四辺形でなる
ことを特徴とする請求項１に記載の光ピックアップ。
【請求項５】
上記サスペンションワイヤの一端と上記他端とを結んだ形状は、
長方形でなる
ことを特徴とする請求項３に記載の光ピックアップ。
【請求項６】
上記弾性支持部は、
上記レンズ保持部を２側面から弾性保持する２組のサスペンションワイヤでなり、
上記サスペンションワイヤは、
その一端を上記レンズ保持部に固定され、他端を上記固定部に固定され、各組の上記一端と上記他端とを結んだ形状が台形でなる
ことを特徴とする請求項１に記載の光ピックアップ。
【請求項７】
レーザ光を集光して光ディスクに照射する対物レンズと、
上記対物レンズを保持するレンズ保持部と、
駆動力が加わらない自然状態において上記光ディスクに対する合焦点位置よりも離隔させた待機位置に上記対物レンズを位置させると共に、上記合焦点位置を中心とする所定の変位範囲内を変位可能な状態になるように上記レンズ保持部を固定部に対して弾性支持する弾性支持部と
を具え、
上記弾性支持部は、
上記固定部から上記レンズ保持部に向かって上記光ディスクから離隔するように斜めに取付けられている
ことを特徴とする光ディスク装置。
【発明の詳細な説明】
【技術分野】
【０００１】
本発明は、光ピックアップ及び光ディスク装置に関し、例えばＢｌｕ−ｒａｙ  Ｄｉｓｃ（登録商標）方式に対応した光ディスク装置に適用して好適なものである。
【背景技術】
【０００２】
従来、光ディスク装置は、光ピックアップから光ディスクに対してレーザ光を照射することにより情報の記録及び再生を実行するようになされている。
【０００３】
この光ピックアップは、レーザ光を照射する際、当該レーザ光を集光する対物レンズを光ディスクの信号記録層における所望のトラックの合焦点位置に合わせるため、当該対物レンズを当該光ディスクの径方向であるトラッキング方向及び当該光ディスクに近接する又は離隔するフォーカス方向の２方向へ変位する。
【０００４】
光ピックアップでは、対物レンズを保持するレンズ保持部をサスペンションワイヤによって変位可能な状態で固定部に固定すると共に、このレンズ保持部を駆動することにより、当該対物レンズを変位する。
【０００５】
このような光ピックアップでは、外部から駆動力が加えられていない自然状態でサスペンションワイヤが水平になるように固定されたものがある（例えば、特許文献１参照）。
【特許文献１】特開２００２-１９７６９２公報
【発明の開示】
【発明が解決しようとする課題】
【０００６】
ところでかかる構成の光ピックアップにおいては、光ピックアップ全体としての薄型化に伴い、光ディスクと対物レンズとの距離であるワーキングディスタンスの短縮が要求されている。しかしながら、上述した対物レンズを単に合焦点付近に位置させ、自然状態におけるワーキングディスタンスを小さくしてしまうと、光ピックアップが使用されていないとき等の自然状態において振動などの僅かな外力が当該光ピックアップに加わっただけで、当該対物レンズと当該光ディスクとが衝突し、光ディスクが傷付いてしまうおそれがある。
【０００７】
このため、自然状態において対物レンズを光ディスクに対する合焦点位置より離隔させておき、使用時に当該対物レンズを当該光ディスクに接近させるようにする光ピックアップがある。このような光ピックアップとして、図１２（Ａ）に示すように、自然状態において、各サスペンションワイヤ３が水平になるようにその一端及び他端がそれぞれレンズ保持部２及び固定部４に対して固定されると共に、２つのレンズ保持部側ワイヤ取付部２Ａ及び２つの固定部側ワイヤ取付部４Ａがそれぞれ図示しない鉛直線に沿って配置されており、これにより上下のサスペンションワイヤ３が固定部４及びレンズ保持部２に対して長方形状に固定されるようになされたものがある。
【０００８】
ところが図１２（Ｂ）に示すように、このような光ピックアップでは、使用時において合焦点位置ＦＰを中心とする所定のフォーカスフルストロークＦＲの範囲だけ対物レンズ５をフォーカス方向に変位させる必要があるため、サスペンションワイヤ３が水平となるレンズ待機位置ＷＰから光ディスク１００に近接する方向へは大きく、離隔する方向へは小さく当該対物レンズ５を変位させることになる。対物レンズ５を近接及び離隔方向に変位させるとき、この変位距離に応じて対物レンズ５が光ディスク１００のトラック接線方向となるタンジェンシャル方向へも変位するため、近接方向へ対物レンズ５を大きく変位させることは、フォーカスフルストロークＦＲの範囲におけるタンジェンシャル方向の変位量が大きくなることを意味している。このため、レーザ光の光軸と対物レンズとの位置ずれが生じてしまい、再生信号の品質を低下させてしまうという問題があった。
【０００９】
本発明は以上の点を考慮してなされたもので、再生信号の品質を向上する光ピックアップ及び光ディスク装置を提案しようとするものである。
【課題を解決するための手段】
【００１０】
かかる課題を解決するため本発明の光ピックアップ及び光ディスク装置においては、レーザ光を集光して光ディスクに照射する対物レンズと、対物レンズを保持するレンズ保持部と、駆動力が加わらない自然状態において光ディスクに対する合焦点位置よりも離隔させた待機位置に対物レンズを位置させると共に、合焦点位置を中心とする所定の変位範囲内を変位可能な状態になるようにレンズ保持部を固定部に対して弾性支持する弾性支持部とを設け、弾性支持部は、固定部からレンズ保持部に向かって光ディスクから離隔するように斜めに取付けられているようにした。
【００１１】
これにより、変位範囲内において対物レンズを変位距離の大きい近接方向に変位させたときのタンジェンシャル方向への変位量を小さく、変位距離の小さい離隔方向に変位させたときのタンジェンシャル方向への変位量を大きくすることにより、当該対物レンズを近接方向と離隔方向とに変位させたときのタンジェンシャル方向への変位量を平均化することができるため、変位範囲内の総体としての対物レンズのタンジェンシャル方向への最大変位量を小さくでき、レーザ光の光軸が対物レンズの中心からずれてしまうことを防止し得る。
【発明の効果】
【００１２】
本発明によれば、変位範囲内において対物レンズを変位距離の大きい近接方向に変位させたときのタンジェンシャル方向への変位量を小さく、変位距離の小さい離隔方向に変位させたときのタンジェンシャル方向への変位量を大きくすることにより、当該対物レンズを近接方向と離隔方向とに変位させたときのタンジェンシャル方向への変位量を平均化することができるため、変位範囲内の総体としての対物レンズのタンジェンシャル方向への最大変位量を小さくでき、レーザ光の光軸が対物レンズの中心からずれてしまうことを防止し得、かくして再生信号の品質を向上する光ピックアップ及び光ディスク装置を実現できる。
【発明を実施するための最良の形態】
【００１３】
以下、図面について、本発明の一実施の形態を詳述する。
【００１４】
（１）光ディスク装置の全体構成
図１において、１０は全体として光ディスク装置を示している。この光ディスク装置１０は、システムコントローラ１１によって統括制御されており、ＣＤ（Compact Disc）、ＤＶＤ（Digital Versatile Disc）又はＢｌｕ−ｒａｙ  Ｄｉｓｃ（登録商標）方式の光ディスク１００からデータを読み出して復号化した映像音声信号を外部へ出力し、また外部から入力された映像音声信号を符号化したデータを当該光ディスク１００に書き込むようになされている。
【００１５】
システムコントローラ１１は、光ディスク１００が装填された状態で、操作部１２を介したユーザの操作に基づき当該光ディスク１００からのデータの再生命令を取得すると、当該光ディスク１００の信号記録層に記録されているデータを特定するためのアドレス情報ＩＡと共に、データ読出命令ＭＲを駆動制御部１３へ送出する。
【００１６】
駆動制御部１３は、システムコントローラ１１からのデータ読出命令に応じて、スピンドルモータ１４を制御することにより光ディスク１００を所定の回転速度で回転させると共に、データ読出命令ＭＲ及びアドレス情報ＩＡを基にスレッドモータ１５を制御することにより、光ピックアップ２１を当該光ディスク１００の径方向に移動させる。そしてシステムコントローラ１１は、光ディスク１００の信号記録層におけるシステムコントローラ１１からのアドレス情報ＩＡに応じたトラック（以下、これを所望トラックと呼ぶ）に対し、光ピックアップ２１のレーザドライバ２２を介してレーザダイオード２３からレーザ光を発射し、対物レンズ３１によってレーザ光を集光して照射させる。
【００１７】
このとき光ピックアップ２１では、光ディスク１００に照射したレーザ光が反射された反射レーザ光をフォトダイオード２４によって受光し、その光量に応じた受光信号ＳＲを信号処理部１６へ送出する。信号処理部１６は、受光信号ＳＲを基に、所望トラックに対するレーザ光の照射位置のずれ量に応じたトラッキングエラー信号ＳＴＥと光ディスク１００の信号記録層に対するレーザ光の焦点のずれ量に応じたフォーカスエラー信号ＳＦＥとを生成してこれらを駆動制御部１３へ送出すると共に、当該受光信号ＳＲを基に再生ＲＦ信号ＳＲＦを生成して信号変復調部１７へ送出する。
【００１８】
駆動制御部１３は、トラッキングエラー信号ＳＴＥ及びフォーカスエラー信号ＳＦＥに基づいたトラッキング制御信号ＣＴ及びフォーカス制御信号ＣＦを生成し、これらをレンズ駆動部３０へ送出する。これに応じてレンズ駆動部３０は、トラッキング制御及びフォーカス制御を行い、レーザ光の焦点を光ディスク１００の所望トラックに合わせるようになされている。
【００１９】
信号変復調部１７は、再生ＲＦ信号ＳＲＦに対して所定の復調処理や復号化処理等を施すことにより再生データＤＰを生成し、これをＤ／Ａ，Ａ／Ｄ変換器１８へ送出すると共に、当該再生ＲＦ信号ＳＲＦを基にレーザパワー信号ＳＬＰを生成してレーザドライバ２２へ送出する。
【００２０】
レーザドライバ２２は、レーザパワー信号ＳＬＰを基にレーザパワー制御信号ＣＬＰを生成することにより、レーザダイオード２３から発光させるレーザ光の強度を制御し、再生に適した強度に合わせるようになされている。
【００２１】
Ｄ／Ａ，Ａ／Ｄ変換器１８は、再生データＤＰをアナログの映像音声信号ＳＡＶに変換し、これを入出力処理部１９へ送出する。入出力処理部１９は、映像音声信号ＳＡＶに対してレベル調整等の信号処理を施した上で外部のモニタ（図示せず）へ送出することにより、当該映像音声信号ＳＡＶに応じた映像及び音声をユーザに視聴させるようになされている。
【００２２】
またシステムコントローラ１１は、光ディスク１００が装填された状態で、操作部１２を介したユーザの操作に基づき当該光ディスク１００へのデータの記録命令を取得すると、当該光ディスク１００の信号記録層にデータを記録する箇所を指定するためのアドレス情報ＩＡと共に、データ書込命令ＭＷを駆動制御部１３へ送出する。
【００２３】
さらにシステムコントローラ１１は、外部機器（図示せず）等から入力された映像音声信号ＳＡＶに対して入出力処理部１９により所定のレベル変換処理等を施させ、Ｄ／Ａ，Ａ／Ｄ変換器１８により記録データＤＲに変換させ、さらに信号変復調部１７により符号化処理及び変調処理等を施させることにより書込データＤＷを生成させ、これを光ピックアップ２１へ送出する。また駆動制御部１３は、アドレス情報ＩＡに基づき光ピックアップ２１の位置を制御する。
【００２４】
これに応じて光ピックアップ２１は、光ディスク１００の信号記録層におけるアドレス情報ＩＡに応じたトラックにレーザ光の焦点を合わせ、レーザドライバ２２の制御によりデータの記録に適した強度に調整されたレーザ光を照射することにより、書込データＤＷを当該光ディスク１００に書き込むようになされている。
【００２５】
このように光ディスク装置１は、光ピックアップ２１から光ディスク１００の信号記録層における所望トラックに対して焦点を合わせたレーザ光を照射することにより、データの記録及び再生を行い得るようになされている。
【００２６】
（２）対物レンズ駆動部の構成
図２はレンズ駆動部３０の構成を示しており、対物レンズ３１を備えたレンズ保持部３２を、固定部３３から延設された４本のサスペンションワイヤ３４（３４Ａ〜３４Ｄ）を介して弾性支持し、当該レンズ保持部３２に設けられたトラッキング及びフォーカス用のコイル３５に電流を流して磁界を発生させることにより、当該磁界と、ヨーク３７を介して支持されたマグネット３６による磁界との作用で生じる駆動力によって、レンズ保持部３２をトラッキング方向及びフォーカス方向に駆動するようになされている。
【００２７】
各サスペンションワイヤ３４の一端は、固定部３３の２つの側面に２個ずつ設けられた固定部側ワイヤ取付部３３Ａにそれぞれ固定されていると共に、他端はレンズ保持部３２の２つの側面に２個ずつ設けられたレンズ保持部側ワイヤ取付部３２Ａにそれぞれ固定されている。
【００２８】
ここで、固定部側ワイヤ取付部３３Ａの上下間隔及びレンズ保持部側ワイヤ取付部３２Ａの上下間隔は同一に設定されており、このため対となる上下のサスペンションワイヤ３４（上側サスペンションワイヤ３４Ａと下側サスペンションワイヤ３４Ｂ、上側サスペンションワイヤ３４Ｃと下側サスペンションワイヤ３４Ｄ）はそれぞれ平行になるように固定され、これによりレンズ保持部３２は、固定部３３に対して上下方向（フォーカス方向）に平行移動する。
【００２９】
また、固定部側ワイヤ取付部３３Ａの左右間隔は、レンズ保持部側ワイヤ取付部３２Ａの左右間隔に比べて広く設定されており、このため対となる左右のサスペンションワイヤ３４（上側サスペンションワイヤ３４Ａと上側サスペンションワイヤ３４Ｃ、下側サスペンションワイヤ３４Ｂと下側サスペンションワイヤ３４Ｄ）はレンズ保持部３２側が狭まったハの字状に固定され、これによりレンズ保持部３２が左右方向（トラッキング方向）に駆動された際のスキューを補償するようになされている。
【００３０】
さらに本実施の形態のレンズ駆動部３０では、図３（Ａ）に示すように、レンズ保持部３２に対する駆動力が加えられていない自然状態において、各サスペンションワイヤ３４は固定部３３からレンズ保持部３２に向かって若干下向きになるように固定されていると共に、図３（Ｂ）に示すように、固定部側ワイヤ取付部３３Ａ及びレンズ保持部側ワイヤ取付部３２Ａはそれぞれ鉛直線ＶＬに沿って配置されており、これにより上下のサスペンションワイヤ３４は固定部３３及びレンズ保持部３２に対して水平線ＨＬから取付角度θ＝１．８°だけ傾いた平行四辺形状に固定されている。
【００３１】
このためレンズ駆動部３０は、図４（Ａ）に示すように、自然状態すなわち光ディスク装置１の待機状態において、対物レンズ３１を光ディスク１００から十分に離隔させたレンズ待機位置ＷＰに保持する一方、当該光ディスク１００に対する読み書きを行う際には、図４（Ｂ）に示すように、レンズ保持部３２を当該光ディスク１００に接近する方向に駆動して対物レンズ３１を合焦点位置ＦＰに位置させた後、レンズ保持部３２を駆動して当該合焦点位置ＦＰを中心としたフォーカスフルストロークＦＲの範囲で当該対物レンズ３１を変位させることにより、当該対物レンズ３１を光ディスク１００の記録面に合焦させるようになされている。
【００３２】
上述したように、各サスペンションワイヤ３４の端部は固定部側ワイヤ取付部３３Ａ及びレンズ保持部側ワイヤ取付部３２Ａによって固定部３３及びレンズ保持部３２にそれぞれ固定されていることから、当該サスペンションワイヤ３４は対物レンズ３１の変位に応じてＳ字状に撓む。
【００３３】
従って、図５（Ｂ）に示すように、対物レンズ３１の中心点がフォーカスフルストロークＦＲの範囲内を変位したときに描く軌跡である軌跡曲線ＴＬｂは、円弧状とはならず、頂点において最も曲率半径が小さく、両端にいくにつれてその曲率半径が大きくなる曲線となる。
【００３４】
ここで、従来のレンズ駆動部（図１２）においても、対物レンズ５がフォーカスフルストロークＦＲの範囲内を変位するときの軌跡曲線ＴＬａは、図５（Ａ）に示すように、本発明のレンズ駆動部３０のとき（図５（Ｂ））と同様に両端にいくにつれてその曲率半径が大きくなる曲線となる。
【００３５】
従来のレンズ駆動部では、自然状態であるレンズ待機位置ＷＰにおいてサスペンションワイヤ３４が直線になるように固定されているため、この軌跡曲線ＴＬａ（図５（Ａ））における頂点はレンズ待機位置ＷＰと一致する。
【００３６】
さらに従来のレンズ駆動部において、フォーカスフルストロークＦＲの範囲は、レンズ待機位置ＷＰよりも光ディスク１００側に近接した方向にある合焦点位置ＦＰを中心とするため、軌跡曲線ＴＬの頂点であるレンズ待機位置ＷＰは、フォーカスフルストロークＦＲの範囲において、光ディスク１００から離隔した方向へ偏った位置に存在することになる。
【００３７】
このため、従来のレンズ駆動部では、対物レンズをレンズ待機位置ＷＰからフォーカスフルストロークＦＲの最離隔位置ＬＰまで変位した時のフォーカス離隔距離ＬＣは相対的に短く、レンズ待機位置ＷＰからフォーカスフルストロークＦＲの再近接位置ＣＰまで対物レンズを変位した時のフォーカス近接距離ＣＣは相対的に長くなる。
【００３８】
従来のレンズ駆動部の軌跡曲線ＴＬａは、レンズ待機位置ＷＰを通る待機位置水平線ＷＰＬに対して略線対称なため、レンズ待機位置ＷＰから近接及び離隔方向で軌道曲線ＴＬａの傾きはほぼ同じであり、近接及び離隔方向に拘らず、フォーカス方向への変位距離に応じて光ディスク１００のトラック接線方向であるタンジェンシャル方向への変位量（以下、これをタンジェンシャル変位量と呼ぶ）は同じように大きくなる。
【００３９】
そして従来のレンズ駆動部では、フォーカス近接距離ＣＣがフォーカス離隔距離ＬＣより長いため、対物レンズ５を近接方向へ変位させたときの近接タンジェンシャル変位量ＴｄＣは対物レンズ５を離隔方向へ変位させたときの離隔タンジェンシャル変位量ＴｄＬと比較して大きくなってしまい、フォーカスフルストロークＦＲの範囲総体としてのタンジェンシャル変位量ＴＴａが大きくなってしまう。
【００４０】
これに対して図５（Ｂ）に示すように、本発明のレンズ駆動部３０では、従来のレンズ駆動部と同様に、軌跡曲線ＴＬｂの頂点はフォーカスフルストロークＦＲの範囲において離隔方向に偏った位置に存在し、この結果フォーカス離隔距離ＬＣは相対的に短く、フォーカス近接距離ＣＣは相対的に長くなる。
【００４１】
しかしながら、本発明のレンズ駆動部３０では、サスペンションワイヤ３４を取付角度θだけ傾斜させたことにより、軌跡曲線ＴＬｂの中心軸ＣＬもこれに応じて傾斜角度θだけ傾斜する。この結果、この軌跡曲線ＴＬｂは待機位置水平線ＷＰＬに対して線対称とならず、フォーカス近接距離ＣＣの長い近接方向側では傾きが急峻なため、近接方向への変位距離に応じた近接タンジェンシャル変位量ＴｄＣが従来のレンズ駆動部より小さくなり、フォーカス離隔距離ＬＣの短い離隔方向側では傾きが緩いため、離隔方向への変位距離に応じた離隔タンジェンシャル変位量ＴｄＬが従来のレンズ駆動部より大きくなる。
【００４２】
このため、本発明のレンズ駆動部３０では、最近接位置ＣＰにおける近接タンジェンシャル変位量ＴｄＣと、再離隔位置ＬＰにおける離隔タンジェンシャル変位量ＴｄＬとをほぼ均一にすることができ、フォーカスフルストロークＦＲの範囲総体としてのタンジェンシャル変位量ＴＴｂを小さくすることができる。
【００４３】
さらに図６（Ｂ）に示すように、本発明のレンズ駆動部３０では、軌跡曲線ＴＬｂの内、曲率半径の大きい頂点からずれた脇部分を使用することができることにより、図６（Ａ）に示すように取付角度θが０°の場合となる水平状態の軌跡曲線ＴＬａを使用する場合と比較して、近接及び離隔方向への変位量に対するタンジェンシャル変位量を小さくすることができ、フォーカスフルストロークＦＲの範囲総体としてのタンジェンシャル変位量ＴＴｂを一段と小さくし得るようになされている。
【００４４】
例えばレンズ駆動部３０は、所定の取付角度θとして、１．８°だけサスペンションワイヤ３４を傾斜させて取付けることにより、図７（Ｂ）に示すように、タンジェンシャル変位量ＴＴｂが最も小さくなる傾斜角度θ＝１．８°だけ軌跡曲線ＴＬｂを傾けることができ、図７（ａ）に示す従来のレンズ駆動部の軌跡曲線ＴＬａと比較して、タンジェンシャル変位量ＴＴｂを大幅に小さくし得るようになされている。
【００４５】
なお、合焦点位置ＦＰとレンズ待機位置ＷＰとの距離やサスペンションワイヤ３４の剛性及び長さ等によって軌跡曲線ＴＬの傾きや頂点位置等は変化するため、これらに応じてタンジェンシャル変位量ＴＴｂが最も小さくなるような角度に取付角度θが選定されることが好ましい。
【００４６】
（３）動作及び効果
以上の構成において、光ディスク装置１０の光ピックアップ２１では、当該光ディスク装置１０の待機状態においては、対物レンズ３１を光ディスク１００から大きく離れた待機位置ＷＰに位置させると共に、光ディスク装置１０の動作状態においては、当該対物レンズ３１を光ディスク１００に近接した合焦点位置ＦＰに移動させるようにした。
【００４７】
これにより、待機状態における対物レンズ３１と光ディスク１００との間隔を増大させて、外力などの影響による当該対物レンズ３１と光ディスク１００との接触を防止すると共に、光ピックアップ２１を使用する動作状態における対物レンズ３１と光ディスク１００との間隔であるワーキングディスタンスを減少させて、光ピックアップ２１の全体の厚さを削減した。
【００４８】
これに加えて光ピックアップ２１では、対物レンズ３１を保持するレンズ保持部３２を固定部３３に対して弾性支持する各サスペンションワイヤ３４が、当該固定部３３からレンズ保持部３２に向かって光ディスク１００から離隔するように斜めに取付けられると共に、対物レンズ３１が合焦点位置ＦＰに移動したときに、対応する固定部側ワイヤ取付部３３Ａ及びレンズ保持部側ワイヤ取付部３２Ａが光ディスク１００に対して略平行になるように当該固定部側ワイヤ取付部３３Ａ及びレンズ保持部側ワイヤ取付部３２Ａの位置関係を設定した。
【００４９】
これにより、レンズ駆動部３０では、対物レンズ３１が所定の変位範囲であるフォーカスフルストロークＦＲの範囲を変位したときに描く軌跡曲線ＴＬｂの中心軸ＣＬを、所定の傾斜角度θだけ傾けることができ、レンズ待機位置ＷＰからの対物レンズ３１の変位距離が光ディスク１００の近接及び離隔方向で異なっているようなフォーカスフルストロークＦＲの範囲を有する光ピックアップ２１であっても、離隔方向の離隔タンジェンシャル変位量ＴｄＬと近接方向の近接タンジェンシャル変位量ＴｄＣとを平均化して、フォーカスフルストロークＦＲの範囲総体として最大のタンジェンシャル変位量ＴＴｂを小さくすることができ、レーザ光の光軸が対物レンズ３１の中心からタンジェンシャル方向にずれてしまうことによる信号品質の悪化を防止できる。
【００５０】
また、タンジェンシャル変位量ＴＴｂが大きくなることに伴って、サスペンションワイヤ３４に大きな力が加わってしまうことを防止することにより、レンズ駆動部３０の振動特性の悪化や、対物レンズ３１のスキューの悪化を防止することができる。
【００５１】
さらにレンズ駆動部３０において、片側２本でなるサスペンションワイヤ３４の中心線の取付角度θは、タンジェンシャル変位量ＴＴｂを最小にする最適な角度である１．８°に選定されるようにした。
【００５２】
これによりレンズ駆動部３０では、対物レンズ３１が変位するときの軌道曲線ＴＬｂの中心軸を傾斜角度θ＝１．８°だけ傾斜させ、離隔タンジェンシャル変位量ＴｄＬと近接タンジェンシャル変位量ＴｄＣとをほぼ均一にすることができるため、フォーカスフルストロークＦＲの範囲総体としてのタンジェンシャル変位量ＴＴｂを一段と小さくし得る。
【００５３】
また、レンズ駆動部３０は、軌跡曲線ＴＬｂを傾斜角度θだけ傾けたことにより、頂点近傍だけでなく曲率半径の大きい脇部分をより多く使用できるため、フォーカスフルストロークＦＲの範囲総体としてのタンジェンシャル変位量ＴＴｂを一段と小さくすることができ、対物レンズ３１と光ディスク１００との距離であるワーキングディスタンスを小さくしたにも拘らずタンジェンシャル変位量ＴＴｂを小さくすることができるため、光ピックアップ２１の薄型化と高精度化を同時に達成し得る。
【００５４】
以上の構成によれば、レンズ駆動部３０では、対物レンズ３１が描く軌跡曲線ＴＬｂの中心軸ＣＬが所定の傾斜角度θだけ傾くように、レンズ保持部３２及び固定部３３に固定されたサスペンションワイヤ３４が取付けられていることにより、対物レンズ３１を最離隔位置ＬＰ及び最近接位置ＣＰにおけるタンジェンシャル変位量ＴｄＬ及びＴｄＣを平均化し、最大変位量であるフォーカスフルストロークＦＲの範囲総体のタンジェンシャル変位量ＴＴｂを小さくできるため、レーザ光の光軸が対物レンズの中心からずれてしまうことを防止し得、かくして再生信号の品質を向上することができる。
【００５５】
（４）他の実施の形態
なお上述の実施の形態においては、上下のサスペンションワイヤ３４が平行に取付けられ、その一端及び他端が鉛直線ＶＬに沿って取付けられるようにした場合について述べたが、本発明はこれに限らず、例えば図８に示すように、サスペンションワイヤ３４の一端及び他端が鉛直線ＶＬに沿うのではなく取付角度θと同じ角度だけ傾斜させることによって長方形状に取付けられるようにしてもよい。また、図１０に示すように、上下のサスペンションワイヤ３４がレンズ保持部３２に向かって間隔が狭まるハの字状になるよう、左右非対称の台形状に取付けられたり、図１１に示すように中心線ＣＣＬが傾いた左右対称な台形状になるように取付けても良い。このように、サスペンションワイヤ３４を台形状に取付けることにより、フォーカス方向へ対物レンズ３１を駆動したときのスキューを補償することができる。
【００５６】
また上述の実施の形態においては、片側に２本のサスペンションワイヤ３４が設けられるようにした場合について述べたが、本発明はこれに限らず、その数には制限されず、例えば図９に示すように４本であっても良い。
【００５７】
さらに上述の実施の形態においては、対物レンズとしての対物レンズ３１、レンズ保持部としてのレンズ保持部３２、弾性支持部としてのサスペンションワイヤ３４とによって光ピックアップとしての光ピックアップ２１及び光ディスク装置としての光ディスク装置１０を構成するようにした場合について述べたが、本発明はこれに限らず、その他種々の構成でなる対物レンズ、レンズ保持部、弾性支持部とによって本発明の光ピックアップ及び光ディスク装置を構成するようにしても良い。
【産業上の利用可能性】
【００５８】
本発明の光ピックアップ及び光ディスク装置は、例えば光ディスクを記録媒体として使用するポータブル音楽プレーヤやゲームプレーヤ、ノート型パーソナルコンピュータなどに使用される薄型の光ディスク装置に利用することができる。
【図面の簡単な説明】
【００５９】
【図１】光ディスク装置の全体構成を示す略線図である。
【図２】本実施の形態のレンズ駆動部を示す略線図である。
【図３】本実施の形態におけるサスペンションワイヤの取付状態を示す略線図である。
【図４】本実施の形態における対物レンズの位置の説明に供する略線図である。
【図５】角度傾斜の効果（１）の説明に供する略線図である。
【図６】角度傾斜の効果（２）の説明に供する略線図である。
【図７】タンジェンシャル変位量の説明に供する略線図である。
【図８】他の実施の形態におけるサスペンションワイヤの取付状態（１）を示す略線図である。
【図９】他の実施の形態におけるサスペンションワイヤの取付状態（２）を示す略線図である。
【図１０】他の実施の形態におけるサスペンションワイヤの取付状態（３）を示す略線図である。
【図１１】他の実施の形態におけるサスペンションワイヤの取付状態（４）を示す略線図である。
【図１２】従来のレンズ駆動部における対物レンズの位置の説明に供する略線図である。
【符号の説明】
【００６０】
１０……光ディスク装置、２１……光ピックアップ、３０……レンズ駆動部、３１……対物レンズ、３２……レンズ保持部、３３……固定部、３４……サスペンションワイヤ、３５……コイル、３６……マグネット、３７……ヨーク。
【図１】
2007179712.tif 000003
【図２】
2007179712.tif 000004
【図３】
2007179712.tif 000005
【図４】
2007179712.tif 000006
【図５】
2007179712.tif 000007
【図６】
2007179712.tif 000008
【図７】
2007179712.tif 000009
【図８】
2007179712.tif 000010
【図９】
2007179712.tif 000011
【図１０】
2007179712.tif 000012
【図１１】
2007179712.tif 000013
【図１２】
2007179712.tif 000014